(57)【要約】【課題】巻線の間の相互インダクタンスを効率的に調整して適当な結合係数ｋが得られ、巻線に流れる電流を等しく安定化させることができるトランスを提供すること。【解決手段】複数の巻線（１０、１０）を隣り合わせて巻回したメインコア（１１）と、その断面積がメインコア（１１）の断面積（１１３）よりも小さく、隣り合った巻線（１０、１０）の間に発生する相互インダクタンスを変化させるようにメインコア（１１）に対して移動可能に、隣り合った巻線（１０、１０）の間に配置されたサブコア（１２）とを備えて構成されている。【選択図】図１
0003137948.tif 000002
【実用新案登録請求の範囲】
【請求項１】
複数の巻線を隣り合わせて巻回したメインコアと、
その横断面積が前記メインコアの横断面積よりも小さく、隣り合った前記巻線の間に発生する相互インダクタンスを変化させるように前記メインコアに対して移動可能に、隣り合った前記巻線の間に配置されたサブコアと、を組み合わせて構成されていることを特徴とするトランス。
【請求項２】
前記サブコアの底面が前記メインコアと接触するように、前記サブコアが前記メインコアに跨って配置され、
前記サブコアと前記メインコアとの間のギャップを変更するように、前記サブコアが移動可能に配置されていることを特徴とする請求項１に記載のトランス。
【請求項３】
前記サブコアは、横断面がコの字形をしたカバーにより被覆されていることを特徴とする請求項２に記載のトランス。
【請求項４】
前記サブコアの底面が前記メインコアと接触せずに、前記サブコアと前記メインコアとの間のギャップを変更するように、前記サブコアが移動可能に配置されていることを特徴とする請求項１に記載のトランス。
【請求項５】
内部に通路を形成した枠部材をさらに備え、
前記サブコアが、前記メインコアと接触しないように、前記通路に挿入されることを特徴とする請求項４に記載のトランス。
【請求項６】
前記枠部材が、筒状のケースであることを特徴とする請求項５に記載のトランス。
【請求項７】
前記筒状のケースは、それぞれ互いに突き合せて係止連結される定位部が複数形成された第１のケース部材と第２のケース部材とに２分割され、
前記第１のケース部材と前記第２のケース部材とは、互いに連通して前記サブコアが挿入されるように、中心軸が一致するように配置されて、同軸通路を形成していることを特徴とする請求項６に記載のトランス。
【請求項８】
前記枠部材は、前記サブコアを軸として、該軸に直交する２つの垂直な端面を有し、
２つの垂直な前記端面のそれぞれは、前記通路としての軸穴を有し、
前記サブコアは、雄ねじ形状の棒であり、２つの前記軸穴に挿入されていることを特徴とする請求項５に記載のトランス。
【請求項９】
前記枠部材の前記通路内の２つの側壁に、前記サブコアを前記通路内で前記通路に沿って移動させるときに案内するガイド部材が、前記サブコアと接触するように突出して形成されていることを特徴とする請求項５に記載のトランス。
【請求項１０】
前記通路の一端側に、前記サブコアと接触して前記サブコアを押して付勢する弾性部材を備え、
前記通路の他端側に、前記サブコアと接触して前記付勢力に抗して前記サブコアを異なる所定位置に停止させる制御部材を備えていることを特徴とする請求項５に記載のトランス。
【請求項１１】
前記制御部材は、前記メインコアに対して垂直に配置された軸部を有するねじであり、
該ねじの頭部は、平頭であり、かつ前記サブコアと接触して位置すると共に、不規則的形状又は前記軸部に対し偏心していることを特徴とする請求項１０に記載のトランス。
【請求項１２】
２つの前記サブコアが、隙間を空けて一直線上に配置され、
２つの前記サブコアの間の隙間が調整可能であることを特徴とする請求項１に記載のトランス。
【請求項１３】
前記サブコアの先端部と前記メインコアとの間の垂直方向のギャップを調整するための昇降部材を備えることを特徴とする請求項１に記載のトランス。
【請求項１４】
前記昇降部材が、前記サブコアの下に配置されたパッドであることを特徴とする請求項１３に記載のトランス。
【請求項１５】
前記昇降部材が、偏心軸を有するローラーであることを特徴とする請求項１３に記載のトランス。
【請求項１６】
前記昇降部材が、前記サブコアの一端を押し付け定位する弾性部材と、前記サブコアの他端を挟んで昇降させるねじ棒付きクランプとからなることを特徴とする請求項１３に記載のトランス。
【請求項１７】
前記サブコアの一方の端部を挟んで両側に位置する前記メインコアの２つの一端部にそれぞれ巻回された１次巻線を備え、
前記サブコアの他方の端部を挟んで両側に位置する前記メインコアの２つの他端部にそれぞれ巻回された２次巻線を前記複数の巻線として備えていることを特徴とする請求項１に記載のトランス。
【請求項１８】
前記サブコアの一方の端部を挟んで両側に位置する前記メインコアの２つの第１の端部側に２次巻線を、複数の隣り合った前記巻線として備え、
前記メインコアの２つの前記第１の端部とは逆側の２つの第２の端部側に巻回された１次巻線を備えていることを特徴とする請求項１に記載のトランス。
【請求項１９】
前記サブコアの一方の端部を挟んで両側に位置する前記メインコアの２つの第１の端部側に１次巻線を、複数の隣り合った前記巻線として備え、
前記メインコアの２つの前記第１の端部とは逆側の２つの第２の端部側に巻回された２次巻線を備えていることを特徴とする請求項１に記載のトランス。
【請求項２０】
前記１次巻線は、前記サブコアを跨いで電気的に１本の巻線で巻回されていることを特徴とする請求項１７乃至１９のいずれか１項に記載のトランス。
【請求項２１】
前記サブコアの横断面積が、前記メインコアの実効断面積の二分の一以下であることを特徴とする請求項１に記載のトランス。
【請求項２２】
前記メインコアのサブコア寄りの横断面積が、前記メインコアの実効断面積以下であることを特徴とする請求項１に記載のトランス。
【請求項２３】
前記メインコアの前記サブコアから離れた部分の横断面積が、前記メインコアの実効横断面積以上であることを特徴とする請求項１に記載のトランス。
【考案の詳細な説明】
【技術分野】
【０００１】
本考案は、放電管点灯用の昇圧トランスに関する。
【背景技術】
【０００２】
多くの液晶表示装置のバックライトにおいては冷陰極蛍光管（Cold Cathode Fluorescent Lamp, CCFL）やEEFLを主たる光源としている。
【０００３】
冷陰極蛍光管などの放電管の点灯には高電圧を要するため、一般にインバータ回路が用いられる。そして、従来はこれら放電管の一灯に対して一つの昇圧トランスを用いて点灯させていた。
【０００４】
ところが、液晶テレビ用のディスプレイのような大きな面光源には多数の放電管が使われており、これらの放電管を点灯する祭には一つの放電管ごとに一つの昇圧トランスと駆動回路が必要であったため、インバータ回路は複雑なものとなっていた。
【０００５】
しかし近年、液晶ディスプレイ用のバックライトはさらに大型化が進みより多くの放電管を用いるようになった。そのため、これらの面光源用のインバータ回路は、一つのトランスで複数の放電管を同時に点灯するものに変わってきている。
【０００６】
図１７は、従来の４点灯用の昇圧トランスの一例を示す断面図である。このトランス４００では、それぞれが腹部側の両端部より直角に２つの脚部を伸出させた２つのコの字形コア４１、４１を口の字形の閉路状に組み合わせたコアを用いる。それぞれの対向する一方の脚部を、１次巻線４０１を巻回したボビン４０の中空穴に挿入し、他方の脚部を、２次巻線４０２、４０２を巻回したボビン４０の中空穴に挿入する。そして図１８は、このトランスを放電管と接続した構成を示す回路図である。２次巻線４０２、４０２のそれぞれの両端に放電管を接続し、１次巻線４０１に電圧を印加すると、磁束が発生し、２次巻線４０２、４０２に高電圧を発生させて放電管を点灯させる。
【考案の開示】
【考案が解決しようとする課題】
【０００７】
上記トランス４００の例では、２つの２次巻線４０２、４０２間の結合係数Ｋが高い場合、冷陰極管同士は図１９及び図２０の並列等価回路のように接続された場合と同様の効果が生じる。そして、図２０に示するように、出力電流Ｉは放電管に分流する負荷電流Ｉ１及びＩ２或いはＩ３及びＩ４の和になるが、個々の放電管は負のインピーダンス特性を有するため、一方の管電流が多くなると他方の電流が少なくなろうとする現象を起こす。
【０００８】
このような現象が起きるのは、第１の２次巻線４０２と第２の２次巻線４０２との間の結合係数が高いこと、即ち主磁束を共有するからである。
【０００９】
このように、主磁束を共有すると個々の放電管の管電流にアンバランスを来たしてしまい、個々の放電管を安定して同時に点灯させることができなくなる。
【００１０】
一方、これを解決しようとして結合係数Ｋを下げると、１次巻線４０１と２つの２次巻線４０２、４０２の間の結合も低くなり、その結果１次巻線側から見た誘導成分が多くなり、これは１次巻線側から見た力率を下げるので１次巻線に多くの無効電流が流れ、その結果銅損が多くなって発熱する。このことは点灯回路の変換効率を下げることになり、また供給できる電力限界の低下につながる。
【００１１】
また、１次巻線と２次巻線との間の結合係数を高くし過ぎると、２次巻線の自己共振周波数が低くなり過ぎる問題が生じる。自己共振周波数がインバータ回路の駆動周波数よりも低くなると、管電流のバランスが崩れ、また、十分な昇圧ができなくなり、さらに発熱する。
【００１２】
本考案は、上記問題点を解消しようとするものであり、巻線の間の相互インダクタンスを調整して管電流のバランスが最適になる条件を効率的に得られるトランスを提供することを目的とする。
【課題を解決するための手段】
【００１３】
上記目的を達成するため、本考案は、複数の巻線を隣り合わせて巻回したメインコアと、その断面積が前記メインコアの断面積よりも小さく、隣り合った前記巻線の間に発生する相互インダクタンスを変化させるように前記メインコアに対して移動可能に、隣り合った前記巻線の間に配置されたサブコアと、を組み合わせて構成されていることを特徴とするトランスを提供する。
【００１４】
また、前記メインコアのサブコアから離れた一端のコア断面積を、メインコアの他の部分の断面積よりも大きくすることによって、サブコアから離れた側の１次巻線と２次巻線との間の結合係数を大きく保つことができる。
【００１５】
また、前記トランスは、前記サブコアの底面が前記メインコアと接触するように前記サブコアが前記メインコアに跨って配置され、前記サブコアと前記メインコアとの間のギャップを変更するように、前記サブコアが移動可能に配置されている。
【００１６】
前記トランスは、前記サブコアが、横断面がコの字形をしたカバーにより被覆されていることができる。
【００１７】
また、前記トランスは、前記サブコアを軸として、前記サブコアの底面が前記メインコアと接触せずに前記メインコアとの間のギャップを変えるように移動可能にすることができる。
【００１８】
また、２つの前記サブコアを、隙間を空けて一直線上に配置し、２つの前記サブコアの間の隙間を調整可能にすることができる。
【００１９】
また、前記トランスは、内部に通路を形成した枠部材をさらに備え、前記サブコアが、前記メインコアと接触しないように、前記通路に挿入されるようにすることができる。
【００２０】
前記枠部材は、一例として、筒状のケースである。
【００２１】
前記筒状のケースは、それぞれ互いに突き合せて係止連結される定位部が複数形成された第１のケース部材と第２のケース部材とに２分割され、前記第１のケース部材と前記第２のケース部材とは、互いに連通して前記サブコアが挿入されるように、中心軸が一致するように配置されて、同軸通路を形成することもできる。
【００２２】
前記枠部材は、他の例としては、前記サブコアを軸として２つの垂直な端面を有し、２つの垂直な前記端面のそれぞれは、前記通路としての軸穴を有し、前記サブコアが、雄ねじ形状の棒であり、２つの前記軸穴に挿入されるようにすることもできる。
【００２３】
前記枠部材の前記通路内の２つの側壁に、前記サブコアを前記通路内で前記通路に沿って移動させるときに案内するガイド部材を、前記サブコアと少し接触するように突出して形成することもできる。
【００２４】
前記通路の一端側に、前記サブコアと接触して前記サブコアを押して付勢する弾性部材を備え、前記通路の他端側に、前記サブコアと接触して前記付勢力に抗して前記サブコアを異なる所定位置に停止させる制御部材を備えることができる。
【００２５】
前記制御部材は、前記メインコアに対して垂直に配置された軸部を有するねじであり、該ねじの頭部は、平頭であり、かつ、前記サブコアと接触して位置すると共に、不規則な形状又は軸部に対し偏心させることもできる。
【００２６】
また、前記サブコアの先端部と前記メインコアとの間に垂直方向のギャップを備えることもできる。
【００２７】
前記昇降部材は、一例としては、前記サブコアの下に配置されたパッドである。
【００２８】
前記昇降部材は、他の例としては、偏心軸を有するローラーである。
【００２９】
前記昇降部材は、他の例としては、サブコアの一端を押し付け定位する弾性部材と、前記サブコアの他端を挟んで昇降させるねじ棒付きクランプとからなることもできる。
【００３０】
前記トランスは、前記サブコアの一方の端部を挟んで両側に位置する前記メインコアの２つの一端部にそれぞれ巻回された１次巻線を備え、前記サブコアの他方の端部を挟んで両側に位置する前記メインコアの２つの他端部にそれぞれ巻回された２次巻線を前記複数の巻線として備えることができる。
【００３１】
前記トランスは、前記サブコアの一方の端部を挟んで両側に位置する前記メインコアの２つの第１の端部側に２次巻線を、複数の隣り合った前記巻線として備え、前記メインコアの２つの前記第１の端部とは逆側の２つの第２の端部側に巻回された１次巻線を備えてもよい。
【００３２】
前記トランスは、前記サブコアの一方の端部を挟んで両側に位置する前記メインコアの２つの第１の端部側に１次巻線を、複数の隣り合った前記巻線として備え、前記メインコアの２つの前記第１の端部とは逆側の２つの第２の端部側に巻回された２次巻線を備えてもよい。
【００３３】
前記１次巻線は、１本の導電線で巻回されることが好ましい。
【００３４】
前記サブコアの横断面積は、前記メインコアの実効横断面積の二分の一以下とすることが好ましい。
【００３５】
また、前記メインコアのサブコア寄りの横断面積が、前記メインコアの実効横断面積以下であることが好ましい。
【考案の効果】
【００３６】
本考案の方法によれば、メインコアとメインコアの断面積より小さい断面積をしたサブコアを用い、２次巻線同士の間に生じる相互インダクタンスを低くし、１次巻線と２次巻線との間の結合係数が高くなるようにし、また、２次巻線の自己共振周波数が低くなり過ぎないようにサブコアとメインコアとの間の相対的な位置を調整することにより、管電流のバランスが良く、適度に漏れインダクタンスが小さく、高出力で発熱の少ない条件を容易に見出すことができる。
【００３７】
また、当該調整法において確定された位置関係に基づき量産されるトランスは、当然に管電流のバランスが良く、高出力で低発熱かつ小型なものになる。
【考案を実施するための最良の形態】
【００３８】
以下、この考案の好適な実施例を、図面を参照して説明する。なお、同一構成及び機能を有する構成要素については、同一の符号を付してその説明を省略する。
【００３９】
図１は、本考案の一実施例のトランスの断面図である。図２は、図１のトランスを一部分解して示す斜視図である。
【００４０】
トランス１００では、それぞれが腹部側の両端より直角に２つの脚部を伸出させた２つのコの字形コア１１０、１１０を、口の字形の閉路状に組み合わせたメインコア１１を用いる。２つのコの字形コア１１０、１１０のそれぞれの２つの脚部は、一側面より切り欠いて細くし、それぞれの一方の脚部を例えば１次巻線１１１、１１１を巻回したボビン１１５、１１５の中空穴に挿入し、それぞれの他方の脚部を複数の巻線１０、１０としての２次巻線１１２、１１２を隣り合わせて巻回したボビン１１６、１１６の中空穴に挿入する。２つのコの字形コア１１０に巻回された１次巻線１１１、１１１と２次巻線１１２、１１２とがそれぞれ直列に接続されるように２つのコの字形コア１１０、１１０が対向して設けられ、棒状サブコア１２が、２つのコの字形コア１１０の２つの脚部に跨って配置され、口の字形メインコア１１と共に略「日」の字形を形成するように組み合わされている。ここで、棒状サブコア１２の長軸方向をＸ方向とする。
【００４１】
本考案のトランス１００では、口の字形に組み合わせたメインコア１１と、その実効横断面積１２１がコの字形コア１１０の脚部の実効横断面積１１３以下のサブコア１２とを用いる。なお、横断面積とは、長手方向の軸に直交する断面の面積を意味する。
【００４２】
この例では、サブコア１２の実効横断面積１２１（Ｘ方向に直交する断面積）がコの字形コア１１０の脚部の実効横断面積１１３（脚部の長手方向に直交する断面積）以下であるが、実効横断面積１１３の二分の一以下であるコアをサブコア１２としてもよい。また、メインコア１１のサブコア１２付近の実効横断面積１１３が、コの字形コア１１０の腹部付近の実効横断面積１１４以下であることが好ましい。
【００４３】
次いで、サブコア１２を、メインコア１１に近接してメインコア１１の２次巻線１１２、１１２の間に配置する。この例では、コの字形コア１１０、１１０の脚部の向かい合って接触した部分に、サブコア１２は、カバー状の角枠１３が被せられ、角枠１３内に接触面積１２２を形成するように、且つ可動的にメインコア１１と接触して配置されている。サブコア１２をＸ方向沿いにメインコア１１に対して動かして、２次巻線１１２、１１２の相互インダクタンスを形成する磁束が分断され、巻線１１０、１１０の磁束が実効分割閉路を形成するように、メインコア１１とサブコア１２との間の相対的な位置を調整する。
【００４４】
この際、メインコア１１とサブコア１２とが完全に接触すると２次巻線の自己共振周波数が下がり過ぎる場合があるので、２次巻線の自己共振周波数を測定し、その自己共振周波数が概ね、少なくともインバータ回路の動作周波数の１．５倍以下にならないようにサブコア１２の位置を調整する。
【００４５】
次いで、接着剤などにより、サブコア１２をメインコア１１上に固定させる。
【００４６】
なお、サブコア１２を用いて数式１を満たすように隣り合った巻線１０の間の相互インダクタンスを減らすよう調整し、隣り合った巻線間の相互インダクタンスによる励磁磁束を改善することができる。
磁気回路の長さ＝磁束の物理距離／コアの断面積  ・・・（数式１）
以上により、メインコア１１とサブコア１２との対面面積（重なる部分の面積）を調整し、磁気回路を実効的に短くすれば相互インダクタンスによる影響を減少させることができ、また、磁気回路を実効的に長くすれば２次巻線の自己共振周波数を高くすることができるので、メインコア１１とサブコア１２との対面面積を調整することにより最適な磁束状態の構成をそなえたトランスが得られる。これによって、放電管に流れる電流を等しくし、安定化させることができ、また、漏れインダクタンスを小さくして高出力のトランスにすることができる。
【００４７】
さらに、本考案では、メインコア１１のサブコア１２から離れた部分の断面積１１４を、メインコア１１の実効横断面積１１３以上としているので、それぞれの１次巻線１１１、１１１が、この断面積１１４を挟んで隣り合う２次巻線１１２、１１２の部分の実効的な磁気回路の長さが短くなる。その結果、２次巻線の断面積１１４に近い側の結合が、他端即ちサブコア側の結合に対して相対的に密結合になり、サブコア１２近くの２次巻線１１２、１１２は相対的に結合が低下して疎結合になるので、サブコア側から２次巻線に進入する進行波を減少させ、定在波を低減させることができるので、その結果発熱が少なく大きな出力のトランスを実現することができる。
【００４８】
前記トランスは、サブコア１２をメインコア１１に近づけながら接触させることにより疎・密結合を形成するように構成しているが、サブコア１２がメインコア１１と接触しない構成であってもよい。
【００４９】
即ち、サブコア１２を軸として、サブコア１２の底面がメインコア１１と接触せずに、メインコア１１との間のギャップを変えるように動かせる構成としてもよい。このようなトランスの一例として、内部に通路を形成した枠部材として筒状ケース部材を備え、サブコア１２をメインコア１１と接触しないように筒状ケース部材の通路に挿入するようにすることができる。
【００５０】
図３は、本考案の一実施例のトランスを示す斜視図である。このトランスが図１及び２の実施例と違う点は、サブコア１２はメインコア１１と接触して設けられるのではなく、サブコア１２は角管３３内を貫通し、ギャップ１２３を空けて設けられている点である。このトランスでは、サブコア１２をメインコア１１と接触させずにギャップ１２３を置いてコの字形コア１１０、１１０それぞれの腹部と平行にメインコア１１の２つの脚部に跨って配置された構成をしている。ここで、隣り合った複数の巻線１０、１０は、プリント配線板上に形成された外部回路２０を介して直列接続されている。サブコア１２をＸ方向に前後に動かしてサブコア１２とメインコア１１とのギャップ１２３を変えることにより、隣り合った巻線同士による相互インダクタンスを極力減らすように調整することができる。したがって、図１及び２の実施例と同様に、最適な疎・密結合構成を容易に見出すことができるので、高出力で低発熱のトランスを実現でき、また、隣り合った巻線同士の相互インダクタンスの影響をなくすようにギャップ１２３を変えることにより、放電管に流れる電流を等しく安定化することができる。
【００５１】
図４は、本考案の一実施例のトランスを示す斜視図である。このトランスが上記の実施例と違う点は、対面面積１２４を形成するようにサブコア１２を貫通させた角管３３をさらにメインコア１１に近づいて、隣り合った巻線１０、１０の間に配置する点である。図〜３の実施例と同様に、高出力で低発熱のトランスを実現でき、また、電流を等しく安定化させることができる効果を有する。
【００５２】
図５は、本考案の一実施例のトランスの平面図である。このトランスが上記の実施例と違う点は、サブコア１２を、２つのサブコア１２ａ及び１２ｂを隙間Ｄを空けて、一直線上に配置している点である。２つのサブコア１２ａ、１２ｂの間の隙間Ｄを調整することによって、メインコア１１とサブコア１２との相対的な位置を調整することができる。
【００５３】
図６は、本考案の一実施例のトランスを分解して示す斜視図である。図７は、図６のトランスを組み立てた状態を示す斜視図である。このトランスでは、筒状ケース３３は、それぞれ、互いに突き合せて係止連結される定位部３３１ａ、３３２ａ、３３１ｂ、３３２ｂ、・・・が複数形成された第１のケース部材３３１と第２のケース部材３３２とに２分割されており、それぞれ、ボビン３１、３２を覆った第１のケース部材３３１と第２のケース部材３３２とは、互いに連通してサブコア１２が挿入されるように、中心軸が一致するように配置されて、同軸の通路３３４を形成する。
【００５４】
図８は、本考案の一実施例のトランスを示す斜視図である。本実施例では、上記の実施例とは違って、枠部材３３は、所定の高さを有する溝形をし、この溝内にサブコア１２を軸とする２つの垂直端面３３ａ、３３ｂを有し、２つの垂直端面３３ａ、３３ｂのそれぞれには軸穴３３４ａ、３３４ｂを有している。サブコア１２は、雄ねじ形状の棒であり、２つの軸穴３３４ａ、３３４ｂに所定の位置まで挿入されている。
【００５５】
図９は、本考案の一実施例のトランスを示す斜視図である。本実施例では、上記の実施例と違って、所定高さを有する枠部材３３の細長い溝形の通路３３４の２つの側壁３３４ｃに、サブコア１２を通路３３４内で通路３３４に沿って前後に動かすときに定位置に案内するガイド部材１６１、１６１、・・・が、突起状をし、サブコア１２と先端部で接触するように、形成されている。
【００５６】
図１０は、本考案の一実施例のトランスを示す斜視図である。本実施例では、溝形の通路３３４の一端側に、サブコア１２と接触しサブコア１２を押して付勢する弾性部材１６２を備え、他端側にサブコア１２と接触して前記付勢力に抗してサブコア１２を異なる所定位置に停止させるための制御部材１６３を備えている。このようにすることによりサブコア１２をＸ方向に沿って移動させることができる。
【００５７】
この例では、制御部材１６３はメインコア１１に対して垂直に配置されたねじであり、軸部１６３ａと、平頭であり、かつ、サブコア１２と接触して位置すると共に、不規則な形状（円形と異なり、中心から外周までの距離が一定でない形状）又は雄ねじの軸部１６３ａに対して偏心している頭部１６３ｂとで構成される。
【００５８】
上記の実施例では、所定の高さを有する枠部材３３を用いて垂直方向の高さを一定にしているが、これに限定されず、以下に示すように、サブコア１２の先端部とメインコア１１との間に、これらの垂直方向のギャップを調整するための昇降部材を設けることもできる。
【００５９】
図１１は、本考案の一実施例のトランスを示す斜視図である。図１１では、サブコア１２のメインコア１１に対する高さを調整する昇降部材として、パッド１４が、枠部材３３内でサブコア１２の下に位置するように配置されている。
【００６０】
また、図１２のように、偏心軸を有するローラー１５を用いることもできる。
【００６１】
また、図１３のように、サブコア１２の一端を押し付けて位置を固定する定位弾性部材１６２と、サブコア１２の他端を挟んで昇降させるねじ棒付きクランプ１６３とからなる昇降部材を用いてもよい。
【００６２】
以下、上記のサブコア部分の構造を適用した、トランスの実施例を説明する。
【００６３】
図１４は、本考案の一実施例のトランスを示す平面図である。このトランスは、メインコア１１の、サブコア１２に対向する２つの対向部において、サブコア１２の一方の端部（図１４の下側）に近い部分のそれぞれに、１本の導電線を巻回して形成された１次巻線１１１、１１１を備え、サブコア１２の他方の端部（図１４の上側）に近い部分のそれぞれに、複数の導電線を巻回して形成された巻線１０、１０を２次巻線１１２、１１２として備えて構成されている。
【００６４】
図１５は、本考案の一実施例のトランスを示す平面図である。このトランスは、上記の実施例と違って、サブコア１２を挟んだ両側のサブコア１２寄りのメインコア１１の端部に、複数の巻線１０、１０として形成された２次巻線１１２、１１２を備え、それとは逆側の端部に１本の導電線を巻回して形成された１次巻線１１１、１１１を備えて構成されている。
【００６５】
図１６は、本考案の一実施例のトランスを示す平面図である。このトランスは、サブコア１２を挟んだ両側のサブコア１２寄りのメインコア１１の端部に、１本の導電線を巻回して形成された１次巻線１１１、１１１を、サブコアを挟んで配置された複数の隣り合った巻線１０、１０として備え、それとは逆側のメインコア１１の端部に、複数の巻線を巻回して形成された２次巻線１１２、１１２を備えて構成されている。
【００６６】
１次巻線をこのように巻回することは、放電管の電流のバランスをさらに良くする。また、電気的に巻線が一本であればいいので、これを一旦外部端子に巻きつけたうえで、外部の配線によって、図３、図４の外部回路２０のように接続してもよい。
【００６７】
上記した各実施例のトランスは、サブコア１２をメインコア１１に対して動かして巻線同士の間の相互インダクタンスと２次巻線の自己共振周波数とを調整することにより、最適な疎結合/密結合を有する構成を容易に見出すと同時に放電管に流れる電流を等しく安定化させることができるものである。
【００６８】
以上により、サブコア１２をメインコア１１に対してＸ方向に動かして設けることによって、隣り合った巻線の相互インダクタンスを自由に調整することができる構成とすることができるので、高出力で低発熱のトランスを実現することができ、また、放電管上に流れる電流を等しく安定化することができる。
【産業上の利用可能性】
【００６９】
本考案を、その実施例の一つとして液晶バックライト用の放電管の点灯用途について具体的実施例を示しながら、説明したが、本考案の相互インダクタンスの調整方法は、隣り合った巻線の相互インダクタンスを自由に調整することができ、高出力で低発熱でありかつ、巻線上に流れる電流を均しく安定化することができるという効果を有するので、これを必要とする各種電気機器において有用である。
【図面の簡単な説明】
【００７０】
【図１】本考案の一実施例のトランスを示す断面図である。
【図２】図１のトランスの概略構成を分解して示す斜視図である。
【図３】本考案の一実施例のトランスを示す斜視図である。
【図４】本考案の一実施例のトランスを示す斜視図である。
【図５】本考案の一実施例のトランスを示す平面図である。
【図６】本考案の一実施例のトランスを分解して示す斜視図である。
【図７】図６のトランスの組立てられた状態を示す斜視図である。
【図８】本考案の一実施例のトランスを示す斜視図である。
【図９】本考案の一実施例のトランスを示す斜視図である。
【図１０】本考案の一実施例のトランスを示す斜視図である。
【図１１】本考案の一実施例のトランスを示す断面図である。
【図１２】本考案の一実施例のトランスを示す断面図である。
【図１３】本考案の一実施例のトランスを示す斜視図である。
【図１４】本考案の一実施例のトランスを示す平面図である。
【図１５】本考案の一実施例のトランスを示す平面図である。
【図１６】本考案の一実施例のトランスを示す平面図である。
【図１７】従来のトランスの一例を示す平面図である。
【図１８】図１７のトランスを用いた回路図である。
【図１９】図１８の等価回路図である。
【図２０】図１９の回路における放電管の電流の流れ方を説明する回路図である。
【符号の説明】
【００７１】
１００…トランス
１０…隣り合った巻線
１１、１１０…メインコア
１１１…１次巻線
１１２…２次巻線
１１３、１１４、１２１、１２２、１２４…面積
１１５、１１６、３１、３２…ボビン
１２、１２ａ、１２ｂ…サブコア
１２３…ギャップ
１３…角枠
１６１…ガイド部材
１６２…弾性部材
１６３…制御部材
１６３ａ…ねじ
１６３ｂ…頭部
２０…外部回路
３３…枠部材(筒状ケース部材)
３３ａ、３３ｂ…端面
３３１ａ、３３２ａ、３３１ｂ、３３２ｂ…定位部
３３１、３３２…ケース部材
３３４…通路
３３４ａ、３３４ｂ…軸穴
３３４ｃ…側壁
【図１】
0003137948.tif 000003
【図２】
0003137948.tif 000004
【図３】
0003137948.tif 000005
【図４】
0003137948.tif 000006
【図５】
0003137948.tif 000007
【図６】
0003137948.tif 000008
【図７】
0003137948.tif 000009
【図８】
0003137948.tif 000010
【図９】
0003137948.tif 000011
【図１０】
0003137948.tif 000012
【図１１】
0003137948.tif 000013
【図１２】
0003137948.tif 000014
【図１３】
0003137948.tif 000015
【図１４】
0003137948.tif 000016
【図１５】
0003137948.tif 000017
【図１６】
0003137948.tif 000018
【図１７】
0003137948.tif 000019
【図１８】
0003137948.tif 000020
【図１９】
0003137948.tif 000021
【図２０】
0003137948.tif 000022